(57)【要約】  本発明の一態様に係る伝熱管ブロックは、上下方向に複数積み重ねて互いに接続する伝熱管ブロックであって、ダストを含んだ排ガスが内部を上下方向に流れるダクトケースと、ダクトケースの内部に位置し水平方向に延びる伝熱管と、伝熱管の入口に接続された入口ヘッダと、伝熱管の出口に接続された出口ヘッダと、上端部分に加えられた振動を伝熱管に伝えることで伝熱管に堆積したダストを落とす振動伝達部材と、を備え、ダクトケースは、下端が水平に形成されており、入口ヘッダは、ダクトケースの下端よりも上方に位置しており、出口ヘッダは、ダクトケースの下端よりも上方に位置している。
2020110365.tif 000002
【特許請求の範囲】
【請求項１】
上下方向に複数積み重ねて互いに接続する伝熱管ブロックであって、
ダストを含んだ排ガスが内部を上下方向に流れるダクトケースと、
前記ダクトケースの内部に位置し水平方向に延びる伝熱管と、
前記伝熱管の入口に接続された入口ヘッダと、
前記伝熱管の出口に接続された出口ヘッダと、
前記上端部分に加えられた振動を前記伝熱管に伝えることで前記伝熱管に堆積したダストを落とす振動伝達部材と、を備え、
前記ダクトケースは、下端が水平に形成されており、
前記入口ヘッダは、前記ダクトケースの下端よりも上方に位置しており、
前記出口ヘッダは、前記ダクトケースの下端よりも上方に位置している、伝熱管ブロック。
【請求項２】
前記振動伝達部材は上端部分が前記ダクトケースの外側に突出している、請求項１に記載の伝熱管ブロック。
【請求項３】
前記ダクトケースは、外面が内側に窪んだ下凹部を有しており、
前記下凹部は、前記振動伝達部材の下方に位置するとともに、下方及び水平方向外方に開放するように形成されている、請求項１又は２に記載の伝熱管ブロック。
【請求項４】
前記入口ヘッダは、前記ダクトケースの上端よりも下方に位置しており、
前記出口ヘッダは、前記ダクトケースの上端よりも下方に位置している、請求項１乃至３のうちいずれか一の項に記載の伝熱管ブロック。
【請求項５】
前記ダクトケースは前記伝熱管の下方に位置する空洞部を有し、
前記入口ヘッダは前記空洞部に対応する位置に配置されている、請求項１乃至４のうちいずれか一の項に記載の伝熱管ブロック。
【請求項６】
前記ダクトケースは前記伝熱管の下方に位置する空洞部を有し、
前記下凹部は前記空洞部に対応する位置に形成されている、請求項３に記載の伝熱管ブロック。
【請求項７】
前記ダクトケースは、外面が内側に窪んだ上凹部を有しており、
前記上凹部は、上方及び水平方向外方に開放するように形成されており、
前記振動伝達部材の上端部分は前記上凹部で画された領域に位置している、請求項１乃至６のうちいずれか一の項に記載の伝熱管ブロック。
【請求項８】
前記１乃至７のうちいずれか一の項に記載の伝熱管ブロックを複数備え、
前記複数の伝熱管ブロックが上下方向に積み重ねられて互いに接続されている、排熱回収ボイラ。
【請求項９】
請求項１乃至７のうちいずれか一の項に記載の伝熱管ブロックを上下方向に複数積み重ねて互いに接続する工程を含む、排熱回収ボイラの製造方法。
【発明の詳細な説明】
【技術分野】
【０００１】
本発明は、排熱回収ボイラの一部を構成する伝熱管ブロック、排熱回収ボイラ、及び、排熱回収ボイラの施工方法に関する。
【背景技術】
【０００２】
排熱回収ボイラを施工するにあたり、排熱回収ボイラを複数のブロックに分け、各ブロックを工場で製造した後、各ブロックを施工現場へ搬送して組み立てる方法が知られている（例えば、下記の特許文献１参照）。このように排熱回収ボイラをブロック化すれば、施工現場での作業が減り、排熱回収ボイラを速やかに完成させることができる。
【先行技術文献】
【特許文献】
【０００３】
【特許文献１】特開２００５−４２９６０号公報
【発明の概要】
【発明が解決しようとする課題】
【０００４】
排熱回収ボイラをブロック化するにあたり、各ブロックをいかに構成するかは、搬送作業及び組立作業の効率に大きく影響する。特に構造が複雑な伝熱管周辺をいかにブロック化するかは非常に重要である。本発明は、以上のような事情に鑑みてなされたものであり、搬送作業及び組立作業を効率よく行うことが可能な伝熱管ブロックを提供することを目的とする。また、効率のよい施工が行える排熱回収ボイラを提供すること、及び、排熱回収ボイラの施工を効率よく行うことができる排熱ボイラの施工方法を提供することも目的とする。
【課題を解決するための手段】
【０００５】
本発明の一態様に係る伝熱管ブロックは、上下方向に複数積み重ねて互いに接続する伝熱管ブロックであって、ダストを含んだ排ガスが内部を上下方向に流れるダクトケースと、前記ダクトケースの内部に位置し水平方向に延びる伝熱管と、前記伝熱管の入口に接続された入口ヘッダと、前記伝熱管の出口に接続された出口ヘッダと、前記上端部分に加えられた振動を前記伝熱管に伝えることで前記伝熱管に堆積したダストを落とす振動伝達部材と、を備え、前記ダクトケースは、下端が水平に形成されており、前記入口ヘッダは、前記ダクトケースの下端よりも上方に位置しており、前記出口ヘッダは、前記ダクトケースの下端よりも上方に位置している。【０００６】
この伝熱管ブロックは、入口ヘッダ及び出口ヘッダがダクトケースの下端よりも上方に位置している。そのため、伝熱管ブロックを搬送する際、荷台の床と接触する接地面は水平に形成されたダクトケースの下端になる。よって、上記の伝熱管ブロックによれば、専用の治具等を用いることなく伝熱管ブロックを安定して荷台に載せることができ、伝熱管ブロックの搬送作業を効率よく行うことができる。また、上記の伝熱管ブロックには伝熱管、入口ヘッダ、出口ヘッダ、及び、振動伝達部材が含まれるため、施工現場におけるこれらの取付作業を省略することができ、組立作業を効率よく行うことができる。【０００７】
上記の伝熱管ブロックにおいて、前記振動伝達部材は上端部分が前記ダクトケースの外側に突出していてもよい。【０００８】
上記の伝熱管ブロックにおいて、前記ダクトケースは、外面が内側に窪んだ下凹部を有しており、前記下凹部は、前記振動伝達部材の下方に位置するとともに、下方及び水平方向外方に開放するように形成されていてもよい。【０００９】
上記の伝熱管ブロックでは、ダクトケースに下凹部を形成している。これにより、伝熱管ブロックを上下方向に積み重ねたとき、振動伝達部材及び振動生成装置は上方に隣接する伝熱管ブロックの下凹部内に位置することになるため、干渉を回避することができる。【００１０】
上記の伝熱管ブロックにおいて、前記入口ヘッダは、前記ダクトケースの上端よりも下方に位置しており、前記出口ヘッダは、前記ダクトケースの上端よりも下方に位置していてもよい。【００１１】
この構成によれば、入口ヘッダ及び出口ヘッダがいずれもダクトケースの上端よりも下方に位置しているため、伝熱管ブロックの高さを抑えることができる。したがって、伝熱管ブロックの搬送作業を効率よく行うことができる。【００１２】
上記の伝熱管ブロックにおいて、前記ダクトケースは前記伝熱管の下方に位置する空洞部を有し、前記入口ヘッダは前記空洞部に対応する位置に配置されていてもよい。【００１３】
上記の伝熱管ブロックは、空洞部を有することで、空洞部周辺の形状及び大きさを比較的自由に設定することができる。そのため、ダクトケースの下端を水平に形成することができるとともに、入口ヘッダ及び出口ヘッダをダクトケースの下端よりも上方に位置させることができる。さらに、この空洞部を利用して伝熱管及び入口ヘッダのメンテナンスを行うこともできる。【００１４】
上記の伝熱管ブロックにおいて、前記ダクトケースは前記伝熱管の下方に位置する空洞部を有し、前記下凹部は前記空洞部に対応する位置に形成されていてもよい。【００１５】
上記のとおり、空洞部周辺の形状及び大きさを比較的自由に設定できるため、振動伝達部材の下方に下凹部を容易に形成することができる。【００１６】
上記の伝熱管ブロックにおいて、前記ダクトケースは、外面が内側に窪んだ上凹部を有しており、前記上凹部は、上方及び水平方向外方に開放するように形成されており、前記振動伝達部材の上端部分は前記上凹部で画された領域に位置していてもよい。【００１７】
この構成では、ダクトケースが上凹部を有しており、上凹部で画された領域に振動伝達部材の上端部分が位置している。そのため、この構成であっても、伝熱管ブロックを上下方向に積み重ねたとき、振動伝達部材及び振動生成装置が、上方に隣接する伝熱管ブロックと干渉するのを回避することができる。【００１８】
さらに、本発明の一態様に係る排熱回収ボイラは、上記の伝熱管ブロックを複数備え、前記複数の伝熱管ブロックが上下方向に積み重ねられて互いに接続されている。【００１９】
この構成によれば、効率のよい施工が行える排熱回収ボイラを提供することができる。【００２０】
さらに、本発明の一態様に係る排熱回収ボイラの製造方法は、上記の伝熱管ブロックを上下方向に複数積み重ねて互いに接続する工程を含む。【００２１】
この構成によれば、排熱回収ボイラの施工を効率よく行うことができる排熱回収ボイラの施工方法を提供することができる。
【発明の効果】
【００２２】
上記の構成によれば、搬送作業及び組立作業を効率よく行うことができる伝熱管ブロックを提供することができ、効率のよい施工が行える排熱回収ボイラを提供することができ、排熱回収ボイラの施工を効率よく行うことができる排熱ボイラの施工方法を提供することができる。
【図面の簡単な説明】
【００２３】
【図１】図１は、第１実施形態に係る伝熱管ブロックの概略図である。
【図２】図２は、第１実施形態の変形例に係る伝熱管ブロックの概略図である。
【図３】図３は、第２実施形態に係る伝熱管ブロックの概略図である。
【図４】図４は、第２実施形態の変形例に係る伝熱管ブロックの概略図である。
【発明を実施するための形態】
【００２４】
（第１実施形態）
はじめに、第１実施形態に係る伝熱管ブロック１００について説明する。図１は、第１実施形態に係る伝熱管ブロック１００の概略図である。以下では、伝熱管ブロック１００の方向について、図１の紙面上を「上」、紙面下を「下」、紙面手前を「前」、紙面奥を「後」、紙面左を「左」、紙面右を「右」と称して説明を行う。
【００２５】
伝熱管ブロック１００は、排ガスから熱を回収する排熱回収ボイラ１０１の一部を構成する。伝熱管ブロック１００は、排熱回収ボイラ１０１の施工現場とは異なる工場で製造され、その後、施工現場へ搬送される。また、図１に示すように、伝熱管ブロック１００は上下方向に複数積み重ねられて互いに接続される。つまり、排熱回収ボイラ１０１は上下方向に段積み重ねて互いに接続された複数の伝熱管ブロック１００を備えている。また、排熱回収ボイラ１０１は複数の伝熱管ブロック１００を上下方向に積み重ねて互いに接続することにより施工される。
【００２６】
本実施形態に係る伝熱管ブロック１００は、ダクトケース１０と、伝熱管２０と、入口ヘッダ３０と、出口ヘッダ４０と、振動伝達部材５０と、を備えている。以下、これらの構成要素について順に説明する。
【００２７】
＜ダクトケース＞
ダクトケース１０は、排ガスが流れるダクトの一部を構成する。ダクトケース１０の上面及び下面は開口しており、断面が略矩形である筒状の形状を有している。排ガスがダクトケース１０の内部を上下方向（本実施形態では下方）に流れる。また、ダクトケース１０内を流れる排ガスは大量のダストを含んでいる。本実施形態の排ガスはセメントを製造する過程で発生する排ガスを想定しているが、排ガスはこれに限定されない。
【００２８】
図１に示すように、ダクトケース１０の下端は水平に形成されており、上端も水平に形成されている。伝熱管ブロック１００を搬送する際に荷台の床と接触する接地面はダクトケース１０の下端になるが、ダクトケース１０の下端は水平に形成されている。そのため、専用の治具等を用いることなく伝熱管ブロック１００を安定して荷台に載せることができる。よって、伝熱管ブロック１００の搬送作業を効率よく行うことができる。
【００２９】
また、ダクトケース１０は、伝熱管２０が収容される収容部１１と、伝熱管２０の下方に位置する空洞部１２を有している。ダクトケース１０は、空洞部１２を有しているため、作業者が空洞部１２に入り込むことにより、伝熱管２０及び入口ヘッダ３０のメンテナンスを容易に行うことができる。
【００３０】
さらに、ダクトケース１０は、左上部分に位置し外面が内側に窪む上凹部１３を有するとともに、左下部分に位置し外面が内側に窪む下凹部１４を有している。上凹部１３は上方及び左方（水平方向外方）に開放するように形成され、下凹部１４は下方及び左方（水平方向外方）に開放するように形成されている。なお、本実施形態の上凹部１３及び下凹部１４は、いずれも前方及び後方は閉じられているが、前方及び後方に開放されていてもよい。
【００３１】
下凹部１４は、振動伝達部材５０の下方であって、空洞部１２に対応する位置に形成されている。具体的には、下凹部１４は、空洞部１２と同じ高さ位置に形成されている。空洞部１２には伝熱管２０が設けられていないため、空洞部１２の周辺の形状及び大きさを比較的自由に設定できる。そのため、ダクトケース１０の下端を水平にするだけでなく、振動伝達部材５０の下方に下凹部１４を容易に形成することができる。
【００３２】
＜伝熱管＞
伝熱管２０は、外面に沿って流れる排ガスから内部を流れる水又は水蒸気に熱を伝える部材である。伝熱管２０は水平に延びるように配置されており、また、排ガスには多量のダストが含まれている。そのため、排熱回収ボイラ１０１を運転すると次第に伝熱管２０にダストが堆積する。伝熱管２０にダストが堆積すると、熱交換率が著しく低下する。そこで、後述するように、本実施形態では振動伝達部材５０を利用して伝熱管２０に堆積したダストを定期的に落としている。
【００３３】
＜入口ヘッダ＞
入口ヘッダ３０は、伝熱管２０の入口に接続された部材である。本実施形態に係る伝熱管ブロック１００は１つの入口ヘッダ３０を備えているが、複数の入口ヘッダ３０を備えていてもよい。入口ヘッダ３０は、前後方向に延びており、ダクトケース１０の上端よりも下方であって、下端よりも上方に位置している。より具体的には、入口ヘッダ３０は、ダクトケース１０の空洞部１２に設けられている。なお、入口ヘッダ３０は、ダクトケース１０の外側に配置してもよい。つまり、入口ヘッダ３０は、空洞部１２の内側及び外側の位置を含む、空洞部１２に対応する位置に配置されている。ただし、入口ヘッダ３０は、空洞部１２よりも上方に配置されていてもよい。例えば、図２に示すように、入口ヘッダ３０は、伝熱管２０と同じ高さ位置であってダクトケース１０の外側に配置されていてもよい。
【００３４】
入口ヘッダ３０は水又は蒸気が供給され、供給された水又は蒸気を伝熱管２０に分配する。なお、ここでいう水には温水及び飽和水が含まれ、蒸気には飽和蒸気及び過熱蒸気が含まれる。本実施形態では、ダクトケース１０の空洞部１２に入口ヘッダ３０を設けることで、入口ヘッダ３０は伝熱管２０よりも下方に位置させつつも、ダクトケース１０の下端よりも上方に位置させることができる。これにより、ダクトケース１０の下端を、伝熱管ブロック１００を搬送する際の接地面にすることができる。
【００３５】
＜出口ヘッダ＞
出口ヘッダ４０は、伝熱管２０の出口に接続された部材である。本実施形態に係る伝熱管ブロック１００は２つの出口ヘッダ４０を備えているが、１つ又は３つ以上の出口ヘッダ４０を備えていてもよい。出口ヘッダ４０は、ダクトケース１０の外側であってダクトケース１０よりも右側に位置している。出口ヘッダ４０は、対応する伝熱管２０から入口配管４１を介して蒸気を回収して一旦蒸気を溜めた後、排出配管４２を介して図外の設備に蒸気を排出する。
【００３６】
また、いずれの出口ヘッダ４０も、ダクトケース１０の下端よりも上方であって、ダクトケースの上端よりも下方に位置している。本実施形態の出口ヘッダ４０はこのように配置されているため、ダクトケース１０の上下方向寸法が、そのまま伝熱管ブロック１００の上下方向寸法となる。つまり、本実施形態によれば、出口ヘッダ４０がダクトケース１０の下端よりも下方に位置している場合や、ダクトケース１０の上端よりも上方に位置している場合に比べて伝熱管ブロック１００の上下方向寸法を抑えることができる。その結果、伝熱管ブロック１００の搬送作業を効率よく行うことができる。なお、図１等では、出口ヘッダ４０が入口ヘッダ３０よりも上方に位置しているが、出口ヘッダ４０が入口ヘッダ３０よりも下方に位置していてもよい。
【００３７】
＜振動伝達部材＞
振動伝達部材５０は、図外の振動生成装置から加えられた振動を伝熱管２０に伝える部材である。振動生成装置には、いわゆる打撃ハンマーを利用して振動を生成する装置の他、超音波、モーター、エアー（スートブロワ）、圧電素子、及び衝撃波等を利用して振動を生成する装置が含まれる。振動伝達部材５０には、伝熱管２０が接続されている。伝熱管２０に振動が伝わると、各伝熱管２０が振動して堆積したダストが落下する。
【００３８】
振動伝達部材５０は、ダクトケース１０の内部から上方に向かって延び、上端部分がダクトケース１０の外側に突出している。振動伝達部材５０の上端部分は上凹部１３に位置しているが、振動伝達部材５０の上端についてはダクトケース１０の上端よりも上方に位置している。なお、振動伝達部材５０は、上端がダクトケース１０の上端よりも下方に位置するように配置してもよい。また、振動伝達部材５０は、下端部分から上端部分まで一体に形成されていてもよく、分割して形成されていてもよい。例えば、振動伝達部材５０は、伝熱管２０に接続されている部分と、ダクトケース１０の外側に突出する部分を含む部分とに分割されていてもよい。振動伝達部材５０を分割して形成することにより、熱伸びによる歪みを抑制することができる。
【００３９】
ここで、振動伝達部材５０及び振動生成装置は上方に隣接する伝熱管ブロック１００と干渉するおそれがある。しかしながら、本実施形態に係る伝熱管ブロック１００は、ダクトケース１０に下凹部１４を有している。これにより、伝熱管ブロック１００を上下方向に複数重ねたとき、上方に隣接する伝熱管ブロック１００の下凹部１４内に振動伝達部材５０が位置することになる。よって、本実施形態に係る伝熱管ブロック１００によれば、振動伝達部材５０及び振動生成装置が上方に隣接する伝熱管ブロック１００と干渉するのを防ぐことができる。
【００４０】
以上のとおり、本実施形態に係る伝熱管ブロック１００は、振動伝達部材５０を含む多くの部材を備えている。そのため、施工現場における振動伝達部材５０の取付作業などの多くの作業を省略することができる。したがって、排熱回収ボイラ１０１の組立作業を効率よく行うことができる。また、本実施形態に係る伝熱管ブロック１００は、水平に形成されたダクトケース１０の下端が荷台の床と接する接地面となるため、搬送時における特別な治具の使用を省略することができる。その結果、伝熱管ブロック１００の搬送作業を効率よく行うことができる。
【００４１】
（第２実施形態）
次に、第２実施形態に係る伝熱管ブロック２００について説明する。図３は、第２実施形態に係る伝熱管ブロック２００の概略図である。なお、第２実施形態に係る伝熱管ブロック２００の構成要素のうち、第１実施形態で説明した構成要素と同じ又は対応するものについては、図３において同じ符号を付しており重複する説明は省略する。
【００４２】
図３に示すように、本実施形態に係る伝熱管ブロック２００は、第１実施形態に係る伝熱管ブロック１００よりも上凹部１３が大きく形成されている。そして、振動伝達部材５０の上端部分は上凹部１３で画された領域に位置している。そのため、振動伝達部材５０はダクトケース１０の上端よりも下方に位置している。なお、本実施形態のダクトケース１０は、下凹部１４を有していないが、下凹部１４を有していてもよい。
【００４３】
また、本実施形態のダクトケース１０は、伝熱管２０の上方に空洞部１２が位置しており、上凹部１３は空洞部１２に対応する位置に形成されている。さらに、入口ヘッダ３０はダクトケース１０の外側に位置する一方、出口ヘッダ４０は空洞部１２に設けられている。ただし、図４に示すように、出口ヘッダ４０はダクトケース１０の外側に位置していてもよい。
【００４４】
以上のとおり、本実施形態に係る伝熱管ブロック２００は、振動伝達部材５０の上端部分は上凹部１３で画された領域に位置しているため、伝熱管ブロック２００を上下方向に積み重ねたとき、振動伝達部材５０及び振動生成装置が、上方に隣接する伝熱管ブロック２００と干渉するのを回避することができる。また、第１実施形態の場合と同様に、本実施形態のダクトケース１０の下端も水平に形成されているため、伝熱管ブロック２００の搬送作業を効率よく行うことができる。
【符号の説明】
【００４５】
１０  ダクトケース
１２  空洞部
１３  上凹部
１４  下凹部
２０  伝熱管
３０  入口ヘッダ
４０  出口ヘッダ
５０  振動伝達部材
１００  伝熱管ブロック
１０１  排熱回収ボイラ
２００  伝熱管ブロック
【図１】
2020110365.tif 000003
【図２】
2020110365.tif 000004
【図３】
2020110365.tif 000005
【図４】
2020110365.tif 000006
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
上下方向に複数積み重ねて互いに接続する伝熱管ブロックであって、
ダストを含んだ排ガスが内部を上下方向に流れるダクトケースと、
前記ダクトケースの内部に位置し水平方向に延びる伝熱管と、
前記伝熱管の入口に接続された入口ヘッダと、
前記伝熱管の出口に接続された出口ヘッダと、
上端部分に加えられた振動を前記伝熱管に伝えることで前記伝熱管に堆積したダストを落とす振動伝達部材と、を備え、
前記ダクトケースは、下端が水平に形成されており、
前記入口ヘッダは、前記ダクトケースの下端よりも上方に位置しており、
前記出口ヘッダは、前記ダクトケースの下端よりも上方に位置している、伝熱管ブロック。
【請求項２】
前記振動伝達部材は上端部分が前記ダクトケースの外側に突出している、請求項１に記載の伝熱管ブロック。
【請求項３】
前記ダクトケースは、外面が内側に窪んだ下凹部を有しており、
前記下凹部は、前記振動伝達部材の下方に位置するとともに、下方及び水平方向外方に開放するように形成されている、請求項１又は２に記載の伝熱管ブロック。
【請求項４】
前記入口ヘッダは、前記ダクトケースの上端よりも下方に位置しており、
前記出口ヘッダは、前記ダクトケースの上端よりも下方に位置している、請求項１乃至３のうちいずれか一の項に記載の伝熱管ブロック。
【請求項５】
前記ダクトケースは前記伝熱管の下方に位置する空洞部を有し、
前記入口ヘッダは前記空洞部に対応する位置に配置されている、請求項１乃至４のうちいずれか一の項に記載の伝熱管ブロック。
【請求項６】
前記ダクトケースは前記伝熱管の下方に位置する空洞部を有し、
前記下凹部は前記空洞部に対応する位置に形成されている、請求項３に記載の伝熱管ブロック。
【請求項７】
前記ダクトケースは、外面が内側に窪んだ上凹部を有しており、
前記上凹部は、上方及び水平方向外方に開放するように形成されており、
前記振動伝達部材の上端部分は前記上凹部で画された領域に位置している、請求項１乃至６のうちいずれか一の項に記載の伝熱管ブロック。
【請求項８】
前記１乃至７のうちいずれか一の項に記載の伝熱管ブロックを複数備え、
前記複数の伝熱管ブロックが上下方向に積み重ねられて互いに接続されている、排熱回収ボイラ。
【請求項９】
請求項１乃至７のうちいずれか一の項に記載の伝熱管ブロックを上下方向に複数積み重ねて互いに接続する工程を含む、排熱回収ボイラの製造方法。
【手続補正２】
【補正対象書類名】図面
【補正対象項目名】図３
【補正方法】変更
【補正の内容】
【図３】
2020110365.tif 000007
【手続補正３】
【補正対象書類名】図面
【補正対象項目名】図４
【補正方法】変更
【補正の内容】
【図４】
2020110365.tif 000008
【国際調査報告】
2020110365.tif 000009
2020110365.tif 000010